(57)【特許請求の範囲】
【請求項１】
ブロック状をなす複数のクッション体が分離可能に組み合わされて構成されるソファであって、
前記クッション体として、
ユーザが着座する直方体状の着座部を形成する第１クッション体と、
前記第１クッション体よりも上下寸法が大きくされ、かつ前記着座部の背面及び両側面に跨がる平面視コ字状のコ字状部を形成する第２クッション体とを備え、
前記第１クッション体は、上下に積まれて複数段に設けられ、それら複数段の前記第１クッション体により前記着座部が形成され、
前記第２クッション体は、上下に積まれて複数段に設けられ、それら複数段の前記第２クッション体により前記コ字状部が形成され、
前記コ字状部において前記着座部よりも上方部分は、その背面側が前記ユーザの背中を支える背もたれ部となっており、その側面側が前記ユーザの肘が掛けられる肘掛け部となっており、
前記背もたれ部を構成する上段の前記第２クッション体と、その下側に隣接する下段の前記第２クッション体とを連結するための連結シートを備え、
前記連結シートは、前記各第２クッション体の前面に跨がって設けられ、それら各第２クッション体の前面に対してそれぞれ接合されているとともに、少なくともいずれかの前面に対しては離着可能とされ、
前記着座部は、その上面が前記連結シートの上端よりも高い位置に設定され、
前記着座部と前記各第２クッション体との間に前記連結シートが配置されていることを特徴とするソファ。
【請求項２】
前記連結シートは、前記上段の第２クッション体に対しては離着不能に接合され、前記下段の第２クッション体に対しては離着可能に接合されていることを特徴とする請求項１に記載のソファ。
【請求項３】
前記連結シートと前記下段の第２クッション体との接合部分には、それら両者を離着可能に接合するための一対の面ファスナが設けられ、
前記一対の面ファスナのうち、フック面を有する面ファスナが前記連結シートに設けられ、ループ面を有する面ファスナが前記下段の第２クッション体の前面に設けられていることを特徴とする請求項１又は２に記載のソファ。
【請求項４】
左右方向に長い平面視長方形状のソファであって、
前記第１クッション体は、上下各段にてそれぞれ左右に分割されて複数設けられ、それら分割された上下各段の複数の前記第１クッション体により前記着座部が形成されており、
前記第２クッション体は、上下各段にてそれぞれ左右に分割されて複数設けられ、それら分割された上下各段の複数の前記第２クッション体により前記コ字状部が形成されていることを特徴とする請求項１乃至３のいずれか一項に記載のソファ。
【請求項５】
ブロック状をなす複数のクッション体が分離可能に組み合わされて構成されるとともに、左右方向に長い平面視長方形状のソファであって、
前記クッション体として、
ユーザが着座する直方体状の着座部を形成する第１クッション体と、
前記第１クッション体よりも上下寸法が大きくされ、かつ前記着座部の背面及び両側面に跨がる平面視コ字状のコ字状部を形成する第２クッション体とを備え、
前記第１クッション体は、上下に積まれて複数段に設けられるとともに上下各段にてそれぞれ左右に分割されて複数設けられ、それら分割された上下各段の複数の前記第１クッション体により前記着座部が形成され、
前記第２クッション体は、上下に積まれて複数段に設けられるとともに上下各段にてそれぞれ左右に分割されて複数設けられ、それら分割された上下各段の複数の前記第２クッション体により前記コ字状部が形成され、
前記コ字状部において前記着座部よりも上方部分は、その背面側が前記ユーザの背中を支える背もたれ部となっており、その側面側が前記ユーザの肘が掛けられる肘掛け部となっており、
上段の複数の第２クッション体と下段の複数の第２クッション体とを互いの開口部を向き合わせて配置することで第１囲い部を形成し、その第１囲い部の内側に前記各第１クッション体を敷き並べられることで第１床部を形成することにより、前記第１囲い部と前記第１床部とを有してなる囲い式のプレイスペースに形態を変更することが可能となっていることを特徴とするソファ。
【請求項６】
左右に分割された前記複数の第２クッション体には、
平面視Ｌ字状をなすとともに、前記コ字状部における左右両コーナ部をそれぞれ構成し、かつ前記着座部の背面及び側面に跨がって配置された一対のコーナクッション体と、
直方体状をなすとともに、前記着座部の背面にて前記一対のコーナクッション体の間に配置された中間クッション体とが含まれていることを特徴とする請求項４又は５に記載のソファ。
【請求項７】
前記着座部の上面は上下に隣接する前記各第２クッション体の境界部よりも高い位置に設定されていることを特徴とする請求項１乃至６のいずれか一項に記載のソファ。
【請求項８】
隣接する前記クッション体同士を分離可能に連結する連結手段を複数箇所に備え、
それら各連結手段はいずれも隣接するクッション体の間に配置されていることを特徴とする請求項１乃至７のいずれか一項に記載のソファ。
【請求項９】
前記各クッション体は、クッション材と、クッション材を被覆するカバー材とを有して構成され、
前記第２クッション体のクッション材は前記第１クッション体のクッション材よりも柔軟性の低い材料を含んで形成されていることを特徴とする請求項１乃至８のいずれか一項に記載のソファ。
【発明の詳細な説明】
【技術分野】
【０００１】
本発明は、ソファに関する。
【背景技術】
【０００２】
従来より、ブロック状のクッション体が複数組み合わされることで構成されるソファが知られている。特許文献１には、直方体状（換言すると矩形板状）のクッション体が複数組み合わされて構成されたソファが開示されている。このソファでは、クッション体が横置きされ上下に積み重ねられることでユーザが着座する着座部が形成され、その着座部の背面及び両側面にクッション体が縦置きされることで背もたれ部及び肘掛け部が形成されている。
【０００３】
上記特許文献１のソファは、各クッション体を組み換えることにより、その形態をソファ以外の家具に変更することが可能となっている。例えば、乳幼児を遊ばせておくための囲い式のプレイスペース（遊び場）に形態を変えることが可能となっている。この場合、横置きのクッション体を敷き並べて床部を形成し、その床部を囲むように縦置きのクッション体を並べて囲い部を形成することでプレイスペースを構成する。
【先行技術文献】
【特許文献】
【０００４】
【特許文献１】特許第４８９７８０２号公報
【発明の概要】
【発明が解決しようとする課題】
【０００５】
ところで、上記特許文献１の構成では、プレイスペースの囲い部が縦置きのクッション体により形成されるため、囲い部の上下寸法（高さ寸法）がソファの上下寸法と同じとなる。そのため、乳幼児を遊ばせるためにプレイスペース内に囲い部を跨いで出入りする際、その出入りが大変になるおそれがある。
【０００６】
また、プレイスペース内で乳幼児を遊ばせる際には、プレイスペース（囲い部）の周囲で乳幼児を見守ることとなるが、その場合、囲い部が邪魔で見守るのが困難になるおそれがある。特に、プレイスペースの周囲で床座しながら見守る場合には、それが顕著になるおそれがある。
【０００７】
また、床部と囲い部とを有する乳幼児用の家具としては、上記プレイスペースの他に、乳幼児（主に赤ちゃん）を寝かせておくためのベビーベッドがある。そこで、上記特許文献１のプレイスペースをベビーベッドとして利用することが考えられる。ただ、その場合にも、上述したプレイスペースにおける問題と同様の問題が生じることが考えられる。
【０００８】
本発明は、上記事情に鑑みてなされたものであり、床部とそれを囲む囲い部とを有する乳幼児用の家具に形態を変えることができ、しかもその乳幼児用家具を好適に利用することが可能なソファを提供することを主たる目的とするものである。
【課題を解決するための手段】
【０００９】
上記課題を解決すべく、第１の発明のソファは、ブロック状をなす複数のクッション体が分離可能に組み合わされて構成されるソファであって、前記クッション体として、ユーザが着座する直方体状の着座部を形成する第１クッション体と、前記第１クッション体よりも上下寸法が大きくされ、かつ前記着座部の背面及び両側面に跨がる平面視コ字状のコ字状部を形成する第２クッション体とを備え、前記第１クッション体は、上下に積まれて複数段に設けられ、それら複数段の前記第１クッション体により前記着座部が形成され、前記第２クッション体は、上下に積まれて複数段に設けられ、それら複数段の前記第２クッション体により前記コ字状部が形成され、前記コ字状部において前記着座部よりも上方部分は、その背面側が前記ユーザの背中を支える背もたれ部となっており、その側面側が前記ユーザの肘が掛けられる肘掛け部となっていることを特徴とする。
【００１０】
本発明のソファでは、上下に積まれた複数段の第１クッション体により直方体状の着座部が形成され、また上下に積まれた複数段の第２クッション体により着座部を平面視コ字状に囲むコ字状部が形成されている。第２クッション体は第１クッション体よりも上下寸法が大きくされ、それによりコ字状部の一部が着座部よりも上方に延びて背もたれ部と肘掛け部とを構成している。
【００１１】
ここで、これらのクッション体は互いに分離可能に組み合わせられており、それにより、それら各クッション体を組み換えることで、ソファから、床部と囲い部とを有する乳幼児用の家具に形態を変えることが可能となっている。例えば、上下各段の第１クッション体を水平方向に並べて配置することで床部を形成し、その床部を囲むように上下各段の第２クッション体を水平方向に並べて配置することで囲い部を形成することにより、乳幼児用家具に形態を変えることが可能となっている。これにより、本ソファは乳幼児用家具としても利用することが可能となっている。なお、乳幼児用家具としては、乳幼児を遊ばせておくための囲い式のプレイスペース（遊び場）や、乳幼児（主に赤ちゃん）を寝かせておくためのベビーベッド等が挙げられる。
【００１２】
また、乳幼児用家具として利用する場合、囲い部の上下寸法（高さ寸法）は第２クッション体の上下寸法と同じとなるため、囲い部の上下寸法をコ字状部の上下寸法ひいてはソファの上下寸法よりも小さくすることができる。これにより、囲い部を跨いで囲い部の内側（すなわち床部上）に出入りする際、その出入りを比較的容易に行うことが可能となる。また、囲い部の内側で遊んだり寝たりする乳幼児を見守る際、囲い部が邪魔となるのを抑制することができる。よって、この場合、乳幼児用家具として利用するに際し、当該家具を好適に利用することが可能となる。
【００１３】
第２の発明のソファは、第１の発明において、左右方向に長い平面視長方形状のソファであって、前記第１クッション体は、上下各段にてそれぞれ左右に分割されて複数設けられ、それら分割された上下各段の複数の前記第１クッション体により前記着座部が形成されており、前記第２クッション体は、上下各段にてそれぞれ左右に分割されて複数設けられ、それら分割された上下各段の複数の前記第２クッション体により前記コ字状部が形成されていることを特徴とする。
【００１４】
本発明によれば、上下各段の第１クッション体が左右複数に分割され、かつ、上下各段の第２クッション体が左右複数に分割されているため、これらのクッション体により種々の形態の乳幼児用家具を形成することが可能となる。例えば、各第１クッション体の一部と各第２クッション体の一部とを用いて床部と囲い部とを形成することで、ソファの一部のみを乳幼児家具に形態変更するといったことが可能となる。
【００１５】
第３の発明のソファは、第２の発明において、左右に分割された前記複数の第２クッション体には、平面視Ｌ字状をなすとともに、前記コ字状部における左右両コーナ部をそれぞれ構成し、かつ前記着座部の背面及び側面に跨がって配置された一対のコーナクッション体と、直方体状をなすとともに、前記着座部の背面にて前記一対のコーナクッション体の間に配置された中間クッション体とが含まれていることを特徴とする。
【００１６】
本発明によれば、左右に分割された複数の第２クッション体に、平面視Ｌ字状のコーナクッション体が一対含まれているため、各第２クッション体を並べて乳幼児用家具の囲い部を形成する上で好都合な構成といえる。
【００１７】
第４の発明のソファは、第１乃至第３のいずれかの発明において、前記着座部の上面は上下に隣接する前記各第２クッション体の境界部よりも高い位置に設定されていることを特徴とする。
【００１８】
本発明によれば、着座部の上面、すなわちユーザが着座する着座面が上下に隣接する各第２クッション体の境界部よりも高い位置に設定されている。この場合、当該境界部を着座部により前側（正面側）から覆い隠すことができるため、当該境界部が露出して外観が損なわれるのを抑制することができる。
【００１９】
第５の発明のソファは、第１乃至第４のいずれかの発明において、隣接する前記クッション体同士を分離可能に連結する連結手段を複数箇所に備え、それら各連結手段はいずれも隣接するクッション体の間に配置されていることを特徴とする。
【００２０】
本発明によれば、隣接するクッション体同士が連結手段により連結されているため、それらクッション体同士の間でずれが生じるのを抑制することができる。これにより、複数のクッション体からなる上述のソファを好適に利用することが可能となる。また、各連結手段はいずれも隣接するクッション体の間に配置されているため、外観が損なわれることなく上記の効果を得ることができる。
【００２１】
第６の発明のソファは、第１乃至第５のいずれかの発明において、前記背もたれ部を構成する上段の前記第２クッション体と、その下側に隣接する下段の前記第２クッション体とを連結するための連結シートを備え、前記連結シートは、前記各第２クッション体の前面に跨がって設けられ、それら各第２クッション体の前面に対してそれぞれ接合されているとともに、少なくともいずれかの前面に対しては離着可能とされ、前記着座部は、その上面が前記連結シートの上端よりも高い位置に設定され、前記着座部と前記各第２クッション体との間に前記連結シートが配置されていることを特徴とする。
【００２２】
上下に隣接する各第２クッション体のうち、上段の第２クッション体は背もたれ部を構成するため、背もたれとして利用される際に後方への倒れが懸念される。そこで本発明では、この点に鑑み、上段の第２クッション体と下段の第２クッション体とを連結シートを介して互いに連結している。具体的には、連結シートを、上下の各第２クッション体の前面に跨がって設け、それら各第２クッション体の前面にそれぞれ接合している。この場合、上段の第２クッション体が下段の第２クッション体に対して後方に屈曲しにくくなるため、その結果上段の第２クッション体の後方への倒れを抑制することができる。
【００２３】
また、着座部の上面は連結シートの上端よりも高い位置に設定され、その着座部と各第２クッション体との間に連結シートが配置されているため、外観が損なわれることなく、上記の効果を得ることができる。
【００２４】
第７の発明のソファは、第６の発明において、前記連結シートは、前記上段の第２クッション体に対しては離着不能に接合され、前記下段の第２クッション体に対しては離着可能に接合されていることを特徴とする。
【００２５】
本発明によれば、連結シートが上段の第２クッション体に対して離着不能に接合されている。この場合、連結シートが上下各第２クッション体にそれぞれ離着可能に接合され同シートが第２クッション体とは別体で構成される場合と異なり、連結シートを紛失する等の事態が生じるのを抑制することができる。
【００２６】
また、連結シートは下段の第２クッション体に対して離着可能に接合されている。ここで、上段の第２クッション体は背もたれとして利用されるのに対し、下段の第２クッション体は背もたれとして利用されないため後方への変位（倒れ）が生じにくい。そのため、この場合、連結シートを上段の第２クッション体に離着可能に接合する場合と比べ、連結シートの接合が外れる事態を生じにくくすることができる。
【００２７】
第８の発明のソファは、第６又は第７の発明において、前記連結シートと前記下段の第２クッション体との接合部分には、それら両者を離着可能に接合するための一対の面ファスナが設けられ、前記一対の面ファスナのうち、フック面を有する面ファスナが前記連結シートに設けられ、ループ面を有する面ファスナが前記下段の第２クッション体の前面に設けられていることを特徴とする。
【００２８】
本発明によれば、連結シートと下段の第２クッション体との接合部分に一対の面ファスナが設けられ、それら面ファスナにより連結シートが下段の第２クッション体に離着可能に接合されている。この場合、各面ファスナは、連結シートの裏面と下段の第２クッション体の前面とにそれぞれ設けられることになる。ここで、各クッション体を組み換えて囲い部を有する乳幼児用家具を形成する場合、囲い部の一部が下段の第２クッション体により構成されることが想定される。その場合、当該第２クッション体の前面に設けられた面ファスナが囲い部の内側に向けて露出することが想定される。そこで本発明では、この点に鑑み、ループ面を有する面ファスナ、すなわち比較的柔軟な側の面ファスナを下段の第２クッション体の前面に設けている。これにより、乳幼児用家具として利用する場合に、乳幼児が面ファスナに接触して痛がる等の事態が生じるのを抑制することができる。
【００２９】
第９の発明のソファは、第１乃至第８のいずれかの発明において、前記各クッション体は、クッション材と、クッション材を被覆するカバー材とを有して構成され、前記第２クッション体のクッション材は前記第１クッション体のクッション材よりも柔軟性の低い材料を含んで形成されていることを特徴とする。
【００３０】
本発明によれば、第２クッション体のクッション材が第１クッション体のクッション材よりも柔軟性の低い材料を含んで形成されているため、第２クッション体が第１クッション体よりも硬く形成されている。この場合、乳幼児用家具として利用する際に、第２クッション体からなる囲い部を上下につぶれにくい安定なものとすることができる。これにより、仮に乳幼児が囲い部の上に載っても、囲い部がつぶれて乳幼児が転んでしまうといった事態が生じるのを抑制することができる。
【００３１】
第１０の発明のソファは、第１乃至第９のいずれかの発明において、左右方向に長い平面視長方形状のソファであって、前記第１クッション体は、上下各段にてそれぞれ左右に分割されて複数設けられ、それら分割された上下各段の複数の前記第１クッション体により前記着座部が形成され、前記第２クッション体は、上下各段にてそれぞれ左右に分割されて複数設けられ、それら分割された上下各段の複数の前記第２クッション体により前記コ字状部が形成され、上段の複数の第２クッション体と下段の複数の第２クッション体とを互いの開口部を向き合わせて配置することで第１囲い部を形成し、その第１囲い部の内側に前記各第１クッション体を敷き並べられることで第１床部を形成することにより、前記第１囲い部と前記第１床部とを有してなる囲い式のプレイスペースに形態を変更することが可能となっていることを特徴とする。
【００３２】
本発明によれば、上下各段の複数の第２クッション体により第１囲い部を形成し、その第１囲い部の内側に上下各段の複数の第１クッション体により第１床部を形成することで、ソファから、囲い式のプレイスペースに形態を変えることが可能となっている。これにより、ソファをプレイスペースとしても利用することができ、同スペースで乳幼児を遊ばせておくことが可能となる。
【００３３】
第１１の発明のソファは、第１乃至第１０いずれかの発明において、左右方向に長い平面視長方形状のソファであって、前記第１クッション体は、上下各段にてそれぞれ左右に分割されて複数設けられ、それら分割された上下各段の複数の前記第１クッション体により前記着座部が形成され、前記第２クッション体は、上下各段にてそれぞれ左右に分割されて複数設けられ、それら分割された上下各段の複数の前記第２クッション体により前記コ字状部が形成され、上下に積まれた一部の第１クッション体を横並びで配置することで第２床部を形成するとともに、その第２床部を上下に積まれた残りの第１クッション体と一部の前記第２クッション体とで囲むことにより第２囲い部を形成することで、前記第２床部と前記第２囲い部とを有してなるベビーベッド部に、部分的に形態変更することが可能となっていることを特徴とする。
【００３４】
本発明によれば、ソファの一部を第２床部と第２囲い部とを有してなるベビーベッド部に形態変更することが可能となっている。この場合、ソファをベビーベッドとしても利用することができ、ベビーベッド部に乳幼児（主に赤ちゃん）を寝かせておくことが可能となる。また、ソファの一部だけをベビーベッド部とするため、残りの部分についてはソファ部として利用することが可能となる。これにより、ベビーベッド部に寝かせた乳幼児をソファ部に座りながら見守ることが可能となる。
【図面の簡単な説明】
【００３５】
【図１】ソファを示す斜視図。
【図２】（ａ）がソファを示す平面図であり、（ｂ）がソファを示す正面図であり、（ｃ）が（ｂ）のＡ−Ａ線断面図である。
【図３】第２クッション体の内部構成を示す図。
【図４】ソファを着座部とコ字状部と分解した状態で示す分解斜視図。
【図５】ソファを各クッション体に分解した状態で示す分解斜視図。
【図６】（ａ）が面ファスナの配置を示す平面図であり、（ｂ）が正面図である。
【図７】囲い式のプレイスペースに形態を変えた状態を示す斜視図。
【図８】囲い式のプレイスペースに形態を変えた状態を示す下面図。
【図９】ソファの一部をベビーベッド部に形態変更した状態を示す斜視図。
【図１０】ソファの一部をベビーベッド部に形態変更した状態を示す斜視図。
【発明を実施するための形態】
【００３６】
以下に、本発明を具体化した一実施の形態について図面を参照しつつ説明する。なお、図１はソファを示す斜視図である。図２は、（ａ）がソファを示す平面図であり、（ｂ）がソファを示す正面図であり、（ｃ）が（ｂ）のＡ−Ａ線断面図である。
【００３７】
図１及び図２に示すように、ソファ１０は、左右方向（幅方向）に長い複数人掛けのソファとなっており、平面視において長方形状をなしている。ソファ１０は、ユーザが着座する直方体状の着座部１１と、その着座部１１の背面及び両側面に跨がって設けられる平面視コ字状のコ字状部１２とを備える。
【００３８】
コ字状部１２は、その上下寸法（高さ寸法）が着座部１１よりも大きくなっている。コ字状部１２において着座部１１よりも上方の部分は、その背面側がユーザの背中を支える背もたれ部１５となっており、その左右両側面側がユーザの肘が掛けられる肘掛け部１６となっている。
【００３９】
ソファ１０は、ブロック状に形成された複数のクッション体２１〜２６を備え、それら複数のクッション体２１〜２６が互いに組み合わされることにより構成されている。図示は省略するが、各クッション体２１〜２６は、クッション材と、クッション材を被覆するカバー材（クッションカバー）とを有して構成されている。クッション材はウレタンフォームにより形成され、カバー材は織物（布地）により形成されている。また、各クッション体２１〜２６はいずれもカバー材が同じ柄の織物により形成されている。但し、各クッション体２１〜２６の間でカバー材を異なる柄の織物により形成してもよい。
【００４０】
なお、クッション材は、ウレタンフォームに限らず、ラバーウレタン等他の材料により形成されてもよい。また、カバー材は、織物に限らず、不織布や皮革等により形成されてもよい。
【００４１】
着座部１１は、左右方向に並べて設けられた複数（具体的には３つ）の第１クッション体２１〜２３を備える。これら複数の第１クッション体２１〜２３は上下２段に積まれており、それら２段に積まれた複数の第１クッション体２１〜２３により着座部１１が形成されている。着座部１１の上面はユーザが着座する着座面１１ａとなっている。その着座面１１ａは上段に配置された各第１クッション体２１〜２３の上面により形成されている。また、着座部１１の下面は床面上に載置される載置面１１ｂとなっており、その載置面１１ｂは下段に配置された各第１クッション体２１〜２３の下面により形成されている。
【００４２】
なお、以下の説明では、上下各段に設けられた第１クッション体２１〜２３を区別するために、場合によって、下段に設けられた第１クッション体２１〜２３の符号にＡを付し、上段に設けられた第１クッション体２１〜２３の符号にＢを付す。また、上下に隣接する各１クッション体２１Ａ，２１Ｂは同じ構成とされ、上下に隣接する各第１クッション体２２Ａ，２２Ｂは同じ構成とされ、上下に隣接する各第１クッション体２３Ａ，２３Ｂは同じ構成とされている。
【００４３】
各第１クッション体２１〜２３はいずれも直方体状に形成され、換言すると所定の厚みを有する矩形板状に形成されている。各第１クッション体２１〜２３はいずれも同じ厚みＬ１を有しており、その厚み方向を上下方向に向けた状態で左右に並設されている。各第１クッション体２１〜２３はいずれも前後方向の長さ（すなわち奥行き）が同じＬ５とされている。また、各第１クッション体２１〜２３のうち、左右両側に配置された各第１クッション体２１，２２は左右方向の長さ（すなわち幅）がいずれも同じＬ５とされているのに対し、中間部に配置された第１クッション体２３は各第１クッション体２１，２２よりも幅が大きくなっており、その幅がＬ４となっている。具体的には、各第１クッション体２１，２２は、幅と奥行きとがいずれも同じである平面視正方形状をなしており、第１クッション体２３は奥行きよりも幅の方が大きい平面視長方形状をなしている。
【００４４】
コ字状部１２は、左右方向に並べて設けられた複数（具体的には３つ）の第２クッション体２４〜２６を備える。これら複数の第２クッション体２４〜２６には、左右方向の両側に配置された平面視Ｌ字状の一対の第２クッション体２４，２５と、それら一対の第２クッション体２４，２５の間に配置された直方体状の第２クッション体２６とが含まれている。これら複数の第２クッション体２４〜２６は上下２段に積まれており、それら２段に積まれた複数の第２クッション体２４〜２６によりコ字状部１２が形成されている（図４も参照）。また、コ字状部１２の下面は床面上に載置される載置面１２ｃとなっており、その載置面１２ｃは下段に配置された各第２クッション体２４〜２６の下面により形成されている。なお、各第２クッション体２４，２５がそれぞれコーナクッション体に相当し、第２クッション体２６が中間クッション体に相当する。
【００４５】
ちなみに以下の説明では、上下各段に設けられた第２クッション体２４〜２６を区別するために、場合によって、下段に設けられた第２クッション体２４〜２６の符号にＡを付し、上段に設けられた第２クッション体２４〜２６の符号にＢを付す。また、上下に隣接する各２クッション体２４Ａ，２４Ｂは同じ構成とされ、上下に隣接する各第２クッション体２５Ａ，２５Ｂは同じ構成とされ、上下に隣接する各第２クッション体２６Ａ，２６Ｂは同じ構成とされている。
【００４６】
各第２クッション体２４〜２６はいずれも同じ上下寸法Ｌ２を有しており、その上下寸法Ｌ２が第１クッション体２１〜２３の上下寸法Ｌ１（厚み寸法）よりも大きくされている。詳しくは、第２クッション体２４〜２６の上下寸法Ｌ２は２段積みされた第１クッション体２１〜２３の上下寸法、すなわち着座部１１の上下寸法Ｌ３（＝２×Ｌ１）と略同じとされており、より詳しくは着座部１１の上下寸法Ｌ３よりも若干小さくされている。本実施形態では、第２クッション体２４〜２６の上下寸法Ｌ２が着座部１１の上下寸法Ｌ３よりも２０〜３０ｍｍ小さくされている。この場合、着座部１１の上面（着座面１１ａ）は上下に隣接する各第２クッション体２４Ａ〜２６Ａ，２４Ｂ〜２６Ｂの境界部よりも高い位置にある。そのため、コ字状部１２において着座面１１ａよりも上方の部分である背もたれ部１５と肘掛け部１６とは、各第２クッション体２４Ａ〜２６Ａ，２４Ｂ〜２６Ｂのうち上段の第２クッション体２４Ｂ〜２６Ｂにより構成されている。
【００４７】
第２クッション体２４（２４Ａ，２４Ｂ）は、所定の厚みを有して平面視Ｌ字状に形成され、第１クッション体２１の左側面と背面とに跨がるように設けられている。第２クッション体２４は、互いに直交する方向に延びる２つの直線部２４ａ，２４ｂを有している。この場合、直線部２４ａが第１クッション体２１の左側面に配置され、直線部２４ｂが第１クッション体２１の背面に配置されている。各直線部２４ａ，２４ｂはいずれもその厚みが同じＬ６とされている。また、各直線部２４ａ，２４ｂはいずれもその長さが同じＬ５とされ、その長さは第１クッション体２１の幅（及び奥行き）と同じとされている（なお、Ｌ５＋Ｌ６＝Ｌ４）。ちなみに、直線部２４ａは、第２クッション体２４において直線部２４ｂよりも前側の部分であり、直線部２４ｂは第２クッション体２４において直線部２４ａよりも右側の部分である。
【００４８】
第２クッション体２４は、その（詳しくは直線部２４ａの）前面が第１クッション体２１の前面と同一平面上に位置し、かつ、その（詳しくは直線部２４ｂの）右側面が第１クッション体２１の右側面と同一平面上に位置している。これにより、第２クッション体２４と第１クッション体２１とは全体として平面視正方形状をなしている。
【００４９】
第２クッション体２５（２５Ａ，２５Ｂ）は、第２クッション体２４と左右対称な平面視Ｌ字状に形成されており、第１クッション体２２の右側面と背面とに跨がるように設けられている。すなわち、第２クッション体２５も、第２クッション体２４と同様、互いに直交する方向に延びる２つの直線部２５ａ，２５ｂを有している。直線部２５ａが第１クッション体２２の右側面に配置され、直線部２５ｂが第１クッション体２２の背面に配置されている。各直線部２５ａ，２５ｂはいずれもその厚みが同じＬ６とされている。また、各直線部２５ａ，２５ｂはいずれもその長さが同じＬ５とされ、その長さが第１クッション体２２の幅（及び奥行き）と同じとされている（なお、Ｌ５＋Ｌ６＝Ｌ４）。
【００５０】
第２クッション体２５は、その（詳しくは直線部２５ａの）前面が第１クッション体２２の前面と同一平面上に位置し、かつ、その（詳しくは直線部２５ｂの）左側面が第１クッション体２２の左側面と同一平面上に位置している。これにより、第２クッション体２５と第１クッション体２２とは全体として平面視正方形状をなしている。
【００５１】
第２クッション体２６は、第１クッション体２３の背面側に設けられ、各第２クッション体２４，２５の直線部２４ｂ，２５ｂの間に配置されている。第２クッション体２６は、その前後方向の長さである厚みが各第２クッション体２４，２５（詳しくは直線部２４ａ，２４ｂ，２５ａ，２５ｂ）の厚みと同じＬ６となっている。また、第２クッション体２６は、その幅（左右方向の長さ）が第１クッション体２３の幅と同じＬ４となっている。また、第２クッション体２６の幅は、第２クッション体２６の厚みと第１クッション体２３の奥行き（前後方向の長さ）との和と同じとなっている。これにより、第２クッション体２６と第１クッション体２３とは全体として平面視正方形状をなしている。
【００５２】
上記のソファ１０では、着座部１１を構成する上下各段の第１クッション体２１〜２３が左右方向に複数（３つ）に分割され、かつ、コ字状部１２を構成する上下各段の第２クッション体２４〜２６が左右方向に複数（３つ）に分割されている。この場合、各第１クッション体２１〜２３の分割位置と、各第２クッション体２４〜２６の分割位置とは左右方向においていずれも同じ位置となっている。これにより、前後に隣接する第１クッション体２１〜２３と第２クッション体２４〜２６とが全体として平面視長方形状をなしている。
【００５３】
続いて、各クッション体２１〜２６を構成するクッション材について説明する。まず、第２クッション体２４〜２６のクッション材について説明する。図３は、第２クッション体２４の内部構成を示す図である。
【００５４】
図３に示すように、第２クッション体２４は、カバー材３４の内部にクッション材３１を有している。クッション材３１は、柔軟性の異なる複数のウレタン層３２，３３を有している。これらのウレタン層３２，３３のうち、第１ウレタン層３２は柔軟性の低いウレタンフォームにより形成され、第２ウレタン層３３は、柔軟性の高いウレタンフォームにより形成されている。第１ウレタン層３２は、クッション材３１において外層を構成しており、第２ウレタン層３３は、内層を構成している。このように、第２クッション体２４は、第１ウレタン層３２と第２ウレタン層３３とからなる複層構造となっている。
【００５５】
その他の第２クッション体２５，２６については、図示を省略するが、これらのクッション材も、第２クッション体２４のクッション材３１と同様に、外層を構成する第１ウレタン層３２と内層を構成する第２ウレタン層３３を有する複層構造となっている。
【００５６】
これに対して、第１クッション体２１〜２３のクッション材は、図示を省略するが、単一のウレタン層により形成されている。このウレタン層は、第２ウレタン層３３と同じウレタンフォーム、すなわち柔軟性の比較的高い（換言すると柔らかい）ウレタンフォームにより形成されている。これにより、第１クッション体２１〜２３では、クッション材の柔軟性が第２クッション体２４〜２６よりも高くなっている。また、換言すると、第２クッション体２４〜２６では、クッション材の柔軟性が第１クッション体２１〜２３よりも低くなっており、つまりは、第２クッション体２４〜２６では、クッション材が第１クッション体２１〜２３よりも硬くなっている。
【００５７】
ソファ１０には、隣接するクッション体２１〜２６同士を分離可能に連結する連結手段が設けられている。以下においては、かかる連結手段の構成について図４〜図６を用いながら説明する。図４は、ソファ１０を着座部１１とコ字状部１２と分解した状態で示す分解斜視図である。図５は、ソファ１０を各クッション体２１〜２６に分解した状態で示す分解斜視図である。図６は、（ａ）が面ファスナの配置を示す平面図であり、（ｂ）が正面図である。
【００５８】
まず、上下に隣接する第２クッション体２４Ａ〜２６Ａ，２４Ｂ〜２６Ｂ同士を連結する連結手段について説明する。図４〜図６に示すように、上下に隣接する第２クッション体２４Ａ，２４Ｂのうち、上側の第２クッション体２４Ｂには、その前面の下端部と内側面の下端部とにそれぞれ帯状の連結シート３５，３６が取り付けられている。連結シート３５は、第２クッション体２４Ｂ（詳しくは直線部２４ｂ）の前面においてその下端に沿って設けられ、上端部が第２クッション体２４Ｂの前面に縫着等により固定されている。また、連結シート３６は、第２クッション体２４Ｂ（詳しくは直線部２４ａ）の内側面においてその下端に沿って設けられ、上端部が当該内側面に縫着等により固定されている。
【００５９】
連結シート３５は、第２クッション体２４Ｂよりも下方へ垂下しており、その垂下した部分が下側の第２クッション体２４Ｂの前面に接合されている。この場合、それら両者２４Ａ，３５の接合部分には、左右に延びる一対の面ファスナ４３ａ，４３ｂが設けられている。これら各面ファスナ４３ａ，４３ｂのうち、フック面を有する面ファスナ４３ａが連結シート３５の裏面に取り付けられ、ループ面を有する面ファスナ４３ｂが第２クッション体２４Ａの前面に取り付けられている。これら各面ファスナ４３ａ，４３ｂは互いに接合されており、その接合により連結シート３５が第２クッション体２４Ａに離着可能に接合されている。
【００６０】
一方、連結シート３６は、第２クッション体２４Ｂよりも下方へ垂下した部分が第２クッション体２４Ａの内側面に接合されている。この場合、それら両者２４Ａ，３６の接合部分には、前後に延びる一対の面ファスナ４４ａ，４４ｂが設けられている。これら面ファスナ４４ａ，４４ｂのうち、フック面を有する面ファスナ４４ａが連結シート３６の裏面に取り付けられ、ループ面を有する面ファスナ４４ｂが第２クッション体２４Ａの内側面に取り付けられている。これら各面ファスナ４４ａ，４４ｂは互いに接合され、その接合により連結シート３６が第２クッション体２４Ａに離着可能に接合されている。
【００６１】
このように、第２クッション体２４Ｂの各連結シート３５，３６はいずれも第２クッション体２４Ａに離着可能に接合されており、それにより、上下に隣接する各第２クッション体２４Ａ，２４Ｂがそれら連結シート３５，３６を介して分離可能に連結されている。なお、この場合、連結シート３５と各面ファスナ４３ａ，４３ｂとにより連結手段が構成され、連結シート３６と各面ファスナ４４ａ，４４ｂとにより連結手段が構成されている。
【００６２】
上下に隣接する第２クッション体２５Ａ，２５Ｂは、上述した第２クッション体２４Ａ，２４Ｂと同様、連結シート３７，３８を用いて互いに連結されている。すなわち、上側の第２クッション体２５Ｂにも、その前面の下端部と内側面の下端部とにそれぞれ帯状の連結シート３７，３８が取り付けられている。連結シート３７は、その上端部が第２クッション体２５Ｂの前面の下端部に縫着等により固定され、連結シート３８は、その上端部が第２クッション体２５Ｂの内側面の下端部に縫着等により固定されている。
【００６３】
連結シート３７は、第２クッション体２５Ｂよりも下方へ垂下した部分が第２クッション体２５Ａの前面に接合されている。この場合、それら両者２５Ａ，３７の接合部分には、左右に延びる一対の面ファスナ４５ａ，４５ｂが設けられている。これら面ファスナ４５ａ，４５ｂのうち、フック面を有する面ファスナ４５ａが連結シート３７の裏面に取り付けられ、ループ面を有する面ファスナ４５ｂが第２クッション体２５Ａの前面に取り付けられている。これら各面ファスナ４５ａ，４５ｂは互いに接合され、その接合により連結シート３７が第２クッション体２５Ａに離着可能に接合されている。
【００６４】
連結シート３８は、第２クッション体２５Ｂよりも下方へ垂下した部分が第２クッション体２５Ａの内側面に接合されている。この場合、それら両者２５Ａ，３８の接合部分には、前後に延びる一対の面ファスナ４６ａ，４６ｂが設けられている。これら面ファスナ４６ａ，４６ｂのうち、フック面を有する面ファスナ４６ａが連結シート３８の裏面に取り付けられ、ループ面を有する面ファスナ４６ｂが第２クッション体２５Ａの内側面に取り付けられている。これら各面ファスナ４６ａ，４６ｂは互いに接合され、その接合により連結シート３８が第２クッション体２５Ａに離着可能に接合されている。
【００６５】
このように、第２クッション体２５Ｂの各連結シート３７，３８はいずれも第２クッション体２５Ａに離着可能に接合されており、それにより、上下に隣接する各第２クッション体２５Ａ，２５Ｂがそれら連結シート３７，３８を介して分離可能に連結されている。なお、この場合、連結シート３７と各面ファスナ４５ａ，４５ｂとにより連結手段が構成され、連結シート３８と各面ファスナ４６ａ，４６ｂとにより連結手段が構成されている。
【００６６】
上下に隣接する第２クッション体２６Ａ，２６Ｂは、上述した第２クッション体２４Ａ，２４Ｂ（２５Ａ，２５Ｂ）と同様、連結シート３９を用いて互いに連結されている。すなわち、上側の第２クッション体２６Ｂには、その前面の下端部に帯状の連結シート３９が取り付けられている。連結シート３９は、その上端部が第２クッション体２６Ｂの前面の下端部に縫着等により固定されている。
【００６７】
連結シート３９は、第２クッション体２６Ｂよりも下方へ垂下した部分が第２クッション体２６Ａの前面に接合されている。この場合、それら両者２６Ａ，３９の接合部分には、左右に延びる一対の面ファスナ４７ａ，４７ｂが設けられている。これら面ファスナ４７ａ，４７ｂのうち、フック面を有する面ファスナ４７ａが連結シート３９の裏面に取り付けられ、ループ面を有する面ファスナ４７ｂが第２クッション体２６Ａの前面に取り付けられている。これら各面ファスナ４７ａ，４７ｂは互いに接合され、その接合により連結シート３９が第２クッション体２６Ａに離着可能に接合されている。これにより、上下に隣接する各第２クッション体２６Ａ，２６Ｂが連結シート３９を介して分離可能に連結されている。なお、この場合、連結シート３９と各面ファスナ４７ａ，４７ｂとにより連結手段が構成されている。
【００６８】
上記の各連結シート３５〜３９はいずれもその上端部が着座部１１の着座面１１ａよりも低い位置に設定されている。これにより、各連結シート３５〜３９はいずれも、その全体が着座部１１とコ字状部１２との間に配置されている。具体的には、各連結シート３５，３６は、第１クッション体２１Ｂと第２クッション体２４Ａ，２４Ｂとの間に配置され、各連結シート３７，３８は、第１クッション体２２Ｂと第２クッション体２５Ａ，２５Ｂとの間に配置され、連結シート３９は、第１クッション体２３Ｂと第２クッション体２６Ａ，２６Ｂとの間に配置されている。
【００６９】
なお、各連結シート３５〜３９はいずれもクッション体２１〜２６のカバー材と同じ柄の布地（生地）を用いて形成されている。これにより、クッション体２１〜２６との外観の統一が図られている。
【００７０】
続いて、左右に隣接する各第２クッション体２４，２６（２５，２６）の連結構成について説明する。
【００７１】
左右に隣接する各第２クッション体２４，２６には、互いに対向する各側面にそれぞれ前後に延びる面ファスナ５１ａ，５１ｂが設けられている。これらの面ファスナ５１ａ，５１ｂのうち、フック面を有する面ファスナ５１ａが第２クッション体２６の側面に取り付けられ、ループ面を有する面ファスナ５１ｂが第２クッション体２４の側面に取り付けられている。各面ファスナ５１ａ，５１ｂは第２クッション体２４，２６の側面において上部に配置され、詳しくは上部にのみ配置されている。各面ファスナ５１ａ，５１ｂは互いに離着可能に接合され、その接合により各第２クッション体２４，２６が分離可能に連結されている。なお、各面ファスナ５１ａ，５１ｂにより連結手段が構成されている。
【００７２】
左右に隣接する各第２クッション体２５，２６には、上記各第２クッション体２４，２６と同様、互いに対向する各側面にそれぞれ前後に延びる面ファスナ５２ａ，５２ｂが設けられている。この場合、フック面を有する面ファスナ５２ａが第２クッション体２６の側面に取り付けられ、ループ面を有する面ファスナ５２ｂが第２クッション体２５の側面に取り付けられている。各面ファスナ５２ａ，５２ｂは第２クッション体２５，２６の側面において上部に配置され、詳しくは上部にのみ配置されている。各面ファスナ５２ａ，５２ｂは互いに離着可能に接合され、その接合により各第２クッション体２５，２６が分離可能に連結されている。なお、各面ファスナ５２ａ，５２ｂにより連結手段が構成されている。
【００７３】
続いて、前後に隣接する第１クッション体２１Ａ〜２３Ａ及び第２クッション体２４Ａ〜２６Ａの連結構成について説明する。
【００７４】
前後に隣接する第１クッション体２１Ａ及び第２クッション体２４Ａには、前後に対向する各面にそれぞれ面ファスナ５４ａ，５４ｂが設けられている。これら面ファスナ５４ａ，５４ｂのうち、フック面を有する面ファスナ５４ａが第２クッション体２４Ａの前面の下部に取り付けられ、ループ面を有する面ファスナ５４ｂが第１クッション体２１Ａの背面の下部に取り付けられている。各面ファスナ５４ａ，５４ｂは左右に延び、また左右に離間して一対ずつ設けられている。各面ファスナ５４ａ，５４ｂは互いに離着可能に接合され、その接合により第１クッション体２１Ａと第２クッション体２４Ａとが分離可能に連結されている。なお、各面ファスナ５４ａ，５４ｂにより連結手段が構成されている。
【００７５】
前後に隣接する第１クッション体２２Ａ及び第２クッション体２５Ａには、前後に対向する各面にそれぞれ面ファスナ５５ａ，５５ｂが設けられている。この場合、フック面を有する面ファスナ５５ａが第２クッション体２５Ａの前面下部に、ループ面を有する面ファスナ５５ｂが第１クッション体２２Ａの背面下部に取り付けられている。各面ファスナ５５ａ，５５ｂは左右に延び、また左右に離間して一対ずつ設けられている。各面ファスナ５５ａ，５５ｂは互いに離着可能に接合され、その接合により第１クッション体２２Ａと第２クッション体２５Ａとが分離可能に連結されている。なお、各面ファスナ５５ａ，５５ｂにより連結手段が構成されている。
【００７６】
前後に隣接する第１クッション体２３Ａ及び第２クッション体２６Ａには、前後に対向する各面にそれぞれ面ファスナ５６ａ，５６ｂが設けられている。この場合、フック面を有する面ファスナ５６ａが第２クッション体２６Ａの前面下部に、ループ面を有する面ファスナ５６ｂが第１クッション体２３Ａの背面下部に取り付けられている。各面ファスナ５６ａ，５６ｂは左右に延び、また左右に離間して一対ずつ設けられている。各面ファスナ５６ａ，５６ｂは互いに離着可能に接合され、その接合により第１クッション体２３Ａと第２クッション体２６Ａとが分離可能に連結されている。なお、各面ファスナ５６ａ，５６ｂにより連結手段が構成されている。
【００７７】
続いて、前後に隣接する第１クッション体２３Ｂと第２クッション体２６Ａとの連結構成について説明する。
【００７８】
上述したように、第２クッション体２６Ｂの連結シート３９は第２クッション体２６Ａの前面に面ファスナ４７ａ，４７ｂを介して接合されている。この連結シート３９は第１クッション体２３Ｂの背面と対向しており、その対向部分には左右に延びる一対の面ファスナ５８ａ，５８ｂが設けられている。これら面ファスナ５８ａ，５８ｂのうち、フック面を有する面ファスナ５８ａが第１クッション体２３Ｂの背面に取り付けられ、ループ面を有する面ファスナ５８ｂが連結シート３９の前面に取り付けられている。各面ファスナ５８ａ，５８ｂは互いに離着可能に接合され、その接合により連結シート３９と第１クッション体２３Ｂとが互いに接合され、ひいては第２クッション体２６Ａと第１クッション体２３Ｂとが連結シート３９を介して互いに連結されている。なお、この場合、各面ファスナ５８ａ，５８ｂにより連結手段が構成されている。
【００７９】
下段に配置された各第２クッション体２４Ａ，２５Ａの下面にはそれぞれ付属の連結シート６１，６２（以下、付属シート６１，６２という）が着脱可能に取り付けられている。これらの付属シート６１，６２は、後述するように、各第２クッション体２４，２５を横並びで配置した際、それら両第２クッション体２４，２５を連結するために用いられる。各付属シート６１，６２はゴム材により矩形に形成され、互いに同じ構成を有している。
【００８０】
付属シート６１は、第２クッション体２４Ａ（詳しくは直線部２４ａ）の下面において前端部に取り付けられている。付属シート６１と第２クッション体２４Ａの下面との対向部分には面ファスナ６４ａ，６４ｂが設けられている。これら面ファスナ６４ａ，６４ｂのうち、フック面を有する面ファスナ６４ａが付属シート６１の上面に取り付けられ、ループ面を有する面ファスナ６４ｂが第２クッション体２４Ａの下面に取り付けられている。また、各面ファスナ６４ａ，６４ｂは左右に延び、かつ前後に隔てて一対ずつ設けられている。各面ファスナ６４ａ，６４ｂは互いに接合され、その接合により付属シート６１が第２クッション体２４Ａに着脱可能に取り付けられている。
【００８１】
付属シート６２は、第２クッション体２５Ａ（詳しくは直線部２５ａ）の下面において前端部に取り付けられている。付属シート６２と第２クッション体２５Ａの下面との対向部分には左右に延びる面ファスナ６５ａ，６５ｂが設けられている。これら面ファスナ６５ａ，６５ｂのうち、フック面を有する面ファスナ６５ａが付属シート６２の上面に取り付けられ、ループ面を有する面ファスナ６５ｂが第２クッション体２５Ａの下面に取り付けられている。また、各面ファスナ６５ａ，６５ｂは左右に延び、かつ前後に隔てて一対ずつ設けられている。各面ファスナ６５ａ，６５ｂは互いに接合され、それにより付属シート６２が第２クッション体２５Ａに着脱可能に取り付けられている。
【００８２】
このように、各第２クッション体２４Ａ，２５Ａの下面にゴム材からなる付属シート６１，６２が取り付けられていることで、コ字状部１２ひいてはソファ１０が床面上にて滑ってしまうのを抑制することができる。また、各付属シート６１，６２が第２クッション体２４Ａ，２５Ａに取り付けられていることで、付属シート６１，６２を紛失してしまう事態が生じるのを防止することもできる。
【００８３】
ちなみに、付属シート６１，６２は必ずしも第２クッション体２４Ａ，２５Ａに取り付けておく必要はなく、単品の状態で保管するようにしてもよい。その場合には、第２クッション体２４Ａ，２５Ａの下面に設けられた面ファスナ６４ｂ，６５ｂが床面に接触することとなるが、これらの面ファスナ６４ｂ，６５ｂはループ面を有する比較的柔軟な面ファスナとなっているため、これらの面ファスナ６４ｂ，６５ｂにより床面が傷付いてしまうのを抑制することができる。
【００８４】
上段に配置された各第２クッション体２４Ｂ，２５Ｂの下面にはそれぞれ面ファスナ６６ｂ，６７ｂが設けられている。これらの面ファスナ６６ｂ，６７ｂはいずれもループ面を有する面ファスナであり、左右に延びている。面ファスナ６６ｂは、第２クッション体２４Ｂの下面における前側の端部に取り付けられ、面ファスナ６７ｂは、第２クッション体２５Ｂの下面における前側の端部に取り付けられている。
【００８５】
ところで、本実施形態のソファ１０は、各クッション体２１〜２６を組み換えることにより、床部と囲い部とを有する乳幼児用の家具に形態を変えることが可能となっている。そこで、以下においては、その乳幼児用家具に形態を変えた場合の構成について説明する。
【００８６】
まず、乳幼児を遊ばせておくための囲い式のプレイスペース（乳幼児用家具に相当）に形態を変えた場合について説明する。図７は、囲い式のプレイスペースに形態を変えた状態を示す斜視図であり、図８は同状態を示す下面図である。
【００８７】
図７に示すように、囲い式のプレイスペース８０（以下、単にプレイスペース８０という）は、床部８１と、その床部８１を囲む囲い部８２とを備える。床部８１は、各第１クッション体２１〜２３が水平方向に並設されることにより形成されている。具体的には、床部８１は、着座部１１において下段を構成する各第１クッション体２１Ａ〜２３Ａと、上段を構成する各第１クッション体２１Ｂ〜２３Ｂとが短手方向に並べられることで形成されている。なお、床部８１が第１床部に相当する。
【００８８】
囲い部８２は、床部８１の周縁部に沿って各第２クッション体２４〜２６が並べられることで形成されている。具体的には、囲い部８２は、コ字状部１２において下段を構成する各第２クッション体２４Ａ〜２６Ａ（以下、これらの集合体を下側コ字状部１２ａという）と、上段を構成する各第２クッション体２４Ｂ〜２６Ｂ（以下、これらの集合体を上側コ字状部１２ｂという）とが、互いのコ字状開口部を向き合わせて配置されることで、平面視矩形に形成されている。なお、囲い部８２が第１囲い部に相当する。
【００８９】
下側コ字状部１２ａと上側コ字状部１２ｂとにおいて互いに隣接する第２クッション体２４Ａ，２５Ｂ同士は互いに連結されており、また互いに隣接する第２クッション体２４Ｂ，２５Ａ同士は互いに連結されている。図８に示すように、隣接する各第２クッション体２４Ａ，２５Ｂは付属シート６１を介して互いに連結され、隣接する各第２クッション体２４Ｂ，２５Ａは付属シート６２を介して互いに連結されている。付属シート６１は各第２クッション体２４Ａ，２５Ｂの下面に跨がって設けられ、その各面ファスナ６４ａがそれぞれ各第２クッション体２４Ａ，２５Ｂの面ファスナ６４ｂ，６７ｂに接合されている。また、付属シート６２は各第２クッション体２４Ｂ，２５Ａの下面に跨がって設けられ、その各面ファスナ６５ａがそれぞれ各第２クッション体２４Ｂ，２５Ａの面ファスナ６５ｂ，６６ｂに接合されている。
【００９０】
このように、下側コ字状部１２ａと上側コ字状部１２ｂとは各付属シート６１，６２を介して互いに連結されている。これにより、各第２クッション体２４Ａ〜２６Ａ，２４Ｂ〜２６Ｂが互いに一体化された状態で囲い部８２が形成されている。なお、囲い部８２を形成する際には、各第２クッション体２４Ｂ〜２６Ｂの連結シート３５〜３９（詳しくは面ファスナ４３ａ〜４７ａ）をそれぞれ第２クッション体２４Ｂ〜２６Ｂの下面に設けられた面ファスナ７１ｂ〜７５ｂ（ループ面を有する面ファスナ）に接合しておく。
【００９１】
上述のプレイスペース８０によれば、囲い部８２の内側（つまり床部８１上）で乳幼児を遊ばせておくことができる。また、その遊ぶ乳幼児を囲い部８２の上に腰掛けながら見守ることができる。
【００９２】
また、囲い部８２は、床部８１を囲むように上下各段の第２クッション体２４Ａ〜２６Ａ，２４Ｂ〜２６Ｂを水平方向に並べて配置することで形成されているため、その上下寸法（高さ寸法）が第２クッション体２４〜２６の上下寸法と同じとなっており、つまりはコ字状部１２の上下寸法ひいてはソファ１０の上下寸法よりも小さくなっている（詳しくはソファ１０の上下寸法の略半分となっている）。そのため、乳幼児を囲い部８２の内側（すなわち床部８１上）で遊ばせるために、囲い部８２を跨いで囲い部８２内に出入りする際、その出入りを比較的容易に行うことができる。また、囲い部８２の内側で遊ぶ乳幼児を見守る際に、囲い部８２が邪魔となるのを抑制することができる。そのため、例えば囲い部８２の周囲で床座しながら乳幼児を見守ることができる。よって、この場合、プレイスペース８０を好適に利用することが可能となる。
【００９３】
また、囲い部８２では、第２クッション体２４Ａ〜２６Ａに設けられた各面ファスナ４３ｂ〜４７ｂが内側（床部８１上）に露出することとなるが、これらの面ファスナ４３ｂ〜４７ｂはループ面を有する面ファスナとなっているため、乳幼児が面ファスナに触って痛がったり、衣服が面ファスナにくっついてしまったりするといった事態が生じるのを抑制することができる。
【００９４】
続いて、ソファ１０の一部を、乳幼児（主に赤ちゃん）を寝かせておくためのベビーベッドに形態変更した場合について説明する。図９は、ソファ１０の一部をベビーベッド部に形態変更した状態を示す斜視図である。
【００９５】
図９には、ソファの一部がベビーベッドとされたベビーベッド付きのソファ９０が示されている。ベビーベッド付きソファ９０は、ソファとして用いられるソファ部９１と、ベビーベッドとして用いられるベビーベッド部９２（乳幼児用家具に相当）とを有している。ベビーベッド付きソファ９０では、ソファ部９１が左右方向における左側から中央部にかけて設けられ、ベビーベッド部９２が右側に設けられている。
【００９６】
ソファ部９１は、上下に積まれた第１クッション体２１Ａ，２１Ｂ及び第１クッション体２３Ａ，２３Ｂと、それら各第１クッション体２１Ａ，２１Ｂ，２３Ａ，２３Ｂの周囲に設けられた第２クッション体２４Ａ，２４Ｂ．２６Ａとを有して構成されている。
【００９７】
ベビーベッド部９２は、乳幼児の寝床となる床部９３（寝床部）と、その床部９３を囲む囲い部９４とを有している。床部９３は、横並びに設けられた２つの第１クッション体２２Ａ，２２Ｂにより形成されている。具体的には、床部９３は、各第１クッション体２２Ａ，２２Ｂが前後に並べられることで形成されている。なお、床部９３が第２床部に相当する。
【００９８】
囲い部９４は、床部９３の周縁に沿って並べられた複数の第２クッション体２５Ａ，２５Ｂ，２６Ｂと、ソファ部９１を構成する第１クッション体２２Ａ，２２Ｂとにより形成されている。これら各クッション体２２Ａ，２２Ｂ，２５Ａ，２５Ｂ，２６Ｂにより床部９３を矩形に囲む囲い部９４が形成されている。なお、囲い部９４が第２囲い部に相当する。
【００９９】
かかるベビーベッド付きソファ９０によれば、ベビーベッド部９２に乳幼児を寝かせておくことができ、しかもその乳幼児をソファ部９１に座って見守ることができる。
【０１００】
また、囲い部９４の上下寸法は第２クッション体２５，２６の上下寸法と略同じとなっているため、乳幼児を床部９３上に寝かせる際に囲い部９４が邪魔となるのが抑制されている。そのため、ベビーベッド部９２を好適に利用することが可能となる。
【０１０１】
また、ベビーベッド部９２では、第２クッション体２５Ａに設けられた各面ファスナ４５ｂ，４６ｂが囲い部９４の内側に露出することになるが、これらの面ファスナ４５ｂ，４６ｂはループ面を有する比較的柔軟な面ファスナとなっているため、乳幼児が面ファスナ４６ｂ，４７ｂに接触して痛がるといった事態が生じるのを抑制することができる。
【０１０２】
図１０には、ベビーベッド付きソファ１００の別形態を示す。同図１０に示すベッド付きソファ１００では、上記のベビーベッド付きソファ９０と異なり、ベビーベッド部１０１が左右方向の中央部に配置され、ソファ部１０２，１０３がベビーベッド部１０１を挟んだ左右両側に配置されている。
【０１０３】
ベビーベッド部１０１は、乳幼児の寝床となる床部１０４（寝床部）と、その床部１０４を囲む囲い部１０５とを有している。床部１０４は、前後に並べられた２つの第１クッション体２１Ａ，２１Ｂにより形成されている。囲い部１０５は、床部１０４を囲むように設けられた各第２クッション体２５Ｂ，２６Ａ，２６Ｂと各ソファ部１０２，１０３とにより形成されている。この場合、ソファ部１０２は、上下に積まれた各第１クッション体２３Ａ，２３Ｂを有して形成され、ソファ部１０３は、上下に積まれた各第１クッション体２２Ａ，２２Ｂを有して形成されている。なお、床部１０４が第２床部に相当し、囲い部１０５が第２囲い部に相当する。
【０１０４】
かかるベビーベッド付きソファ１００においても、上述したベビーベッド付きソファ９０と同様、ベビーベッド部１０１に乳幼児を寝かせながら、その乳幼児をソファ部１０２，１０３に座って見守ることができる。また、ベビーベッド付きソファ９０において得られるその他の効果についても、同様に得ることができる。
【０１０５】
以上、詳述した本実施形態の構成によれば、以下の優れた効果が得られる。
【０１０６】
上下各段の第１クッション体２１〜２３を左右複数（３つ）に分割し、かつ、上下各段の第２クッション体２４〜２６を左右複数（３つ）に分割したため、これらのクッション体２１〜２６により種々の形態の乳幼児用家具（プレイスペース８０やベビーベッド９０，１００等）を形成することが可能となる。例えば、各第１クッション体２１〜２３の一部と各第２クッション体２４〜２６の一部とを用いて床部９３と囲い部９４とを形成することで、ソファ１０の一部のみをベビーベッド部９２に形態変更するといったことが可能となる。
【０１０７】
左右に分割した複数の第２クッション体２４〜２６に、平面視Ｌ字状の第２クッション体２４，２５を一対含めたため、各第２クッション体２４〜２６を並べて乳幼児用家具８０，９０，１００の囲い部８２，９４，１０５を形成する上で好都合な構成といえる。
【０１０８】
着座部１１の着座面１１ａを、上下に隣接する各第２クッション体２４Ａ〜２６Ａ，２４Ｂ〜２６Ｂの境界部よりも高い位置に設定したため、当該境界部を着座部１１により前側（正面側）から覆い隠すことができる。これにより、当該境界部が露出して外観が損なわれるのを抑制することができる。
【０１０９】
隣接するクッション体同士を連結手段（面ファスナ５１ａ，５１ｂ等）により連結したため、それらクッション体同士の間でずれが生じるのを抑制することができる。これにより、複数のクッション体２１〜２６からなる本ソファ１０を好適に利用することが可能となる。また、ソファ１０には、かかる連結手段が複数箇所に設けられているが、それら各連結手段はいずれも（すべて）隣接するクッション体の間に配置されているため、外観が損なわれることなく上記の効果を得ることができる。
【０１１０】
上下に隣接する各第２クッション体２４Ａ〜２６Ａ，２４Ｂ〜２６Ｂのうち、上段の第２クッション体２４Ｂ〜２６Ｂは背もたれ部１５を構成するため、背もたれとして利用される際に後方への倒れが懸念される。そこで上記の実施形態では、この点に鑑み、上段の第２クッション体２４Ｂ〜２６Ｂと、その下側で隣接する下段の第２クッション体２４Ａ〜２６Ａとを連結シート３５，３７，３９を介して互いに連結するようにした。具体的には、連結シート３５，３７，３９を、上下の各第２クッション体の前面に跨がって設け、それら各第２クッション体の前面にそれぞれ接合した。この場合、上段の第２クッション体２４Ｂ〜２６Ｂが下段の第２クッション体２４Ａ〜２６Ａに対して後方に屈曲しにくくなるため、その結果上段の第２クッション体２４Ｂ〜２６Ｂの後方への倒れを抑制することができる。
【０１１１】
また、着座部１１の着座面１１ａを連結シート３５，３７，３９の上端よりも高い位置に設定し、それにより着座部１１と各第２クッション体２４Ａ〜２６Ａ，２４Ｂ〜２６Ｂ（ひいてはコ字状部１２）との間に連結シート３５，３７，３９を配置した。これにより、外観が損なわれるのを回避しながら、上述の効果を得ることができる。
【０１１２】
連結シート３５，３７，３９を上段の第２クッション体２４Ｂ〜２６Ｂに対して離着不能に接合したため、連結シートが上下各第２クッション体にそれぞれ離着可能に接合される場合、すなわち同シートが第２クッション体と別体で構成される場合と異なり、連結シートを紛失する等の事態が生じるのを抑制することができる。
【０１１３】
また、連結シート３５，３７，３９を下段の第２クッション体２４Ａ〜２６Ａに対して離着可能に接合した。ここで、上段の第２クッション体２４Ｂ〜２６Ｂは背もたれとして利用されるのに対し、下段の第２クッション体２４Ａ〜２６Ａは背もたれとして利用されないため後方への変位（倒れ）が生じにくい。そのため、この場合、連結シート３５，３７，３９を上段の第２クッション体２４Ｂ〜２６Ｂに離着可能に接合する場合と比べ、連結シート３５，３７，３９の接合が外れる事態を生じにくくすることができる。
【０１１４】
第２クッション体２４〜２６のクッション材を第１クッション体２１〜２３のクッション材よりも柔軟性の低い材料（具体的には第１ウレタン層３２）を含んで形成した。すなわち、第２クッション体２４〜２６を第１クッション体２１〜２３よりも硬く形成した。この場合、プレイスペース８０として利用する際に、第２クッション体２４〜２６からなる囲い部８２を上下につぶれにくい安定なものとすることができる。これにより、仮に乳幼児が囲い部８２の上に載っても、囲い部８２がつぶれて乳幼児が転んでしまうといった事態が生じるのを抑制することができる。また、囲い部８２の上に腰掛けながら囲い部８２内で遊ぶ乳幼児を見守る際に、安定した状態で座ることができるという利点もある。
【０１１５】
左右に隣接する各第２クッション体２４，２６（２５，２６）の対向面（側面）にそれぞれ面ファスナ５１ａ，５１ｂ（５２ａ，５２ｂ）を設け、それら面ファスナ５１ａ，５１ｂ（５２ａ，５２ｂ）を用いて各第２クッション体２４，２６（２５，２６）を連結した。そして、面ファスナ５１ａ，５１ｂ（５２ａ，５２ｂ）を、第２クッション体２４，２６（２５，２６）の対向面において上部に配置した。この場合、各第２クッション体２４，２６（２５，２６）の上部同士が接合されるため、上部側において各第２クッション体２４，２６（２５，２６）の間に開きが生じるのを抑制できる。そのため、かかる開きに起因して各第２クッション体２４，２６（２５，２６）間で左右への分離が生じるのを抑制することができる。
【０１１６】
また、各第２クッション体２４，２６（２５，２６）の対向面において面ファスナ５１ａ，５１ｂ（５２ａ，５２ｂ）を上部にのみ設けたため、各第２クッション体２４，２６（２５，２６）を分離する際には下側から両第２クッション体２４，２６（２５，２６）を開くことで容易に分離することができる。そのため、クッション体２１〜２６を組み換えてソファ１０以外の形態に変更する際、その作業をし易くすることができる。
【０１１７】
前後に隣接する第１クッション体２３Ｂと第２クッション体２６Ａとを面ファスナ５８ａ，５８ｂを介して互いに連結した。この場合、着座面１１ａを構成する第１クッション体２３Ｂが第２クッション体２６Ａに対して前側にずれてしまうのを抑制できるため、第１クッション体２３Ｂと第２クッション体２６Ａ，２６Ｂとの間に隙間が生じる等の不都合が生じるのを抑制できる。
【０１１８】
また、第１クッション体２３Ｂと第２クッション体２６Ａ，２６Ｂとの間の隙間はユーザが背もたれ部１５によりかかることで生じる第２クッション体２６Ｂの後方への倒れによっても発生することが想定される。ここで、第２クッション体２６Ｂの後方への倒れは、上段の各第２クッション体２４Ｂ〜２６Ｂのうちで、Ｌ字状の各第２クッション体２４Ｂ，２５Ｂよりも直方体状の第２クッション体２６Ｂにおいて生じ易いと考えられ、そうすると、上記の隙間も、第１クッション体２３Ｂと第２クッション体２６Ａ，２６Ｂとの間で最も生じ易いと考えられる。そのため、この点を鑑みても、第１クッション体２３Ｂと第２クッション体２６Ａとを面ファスナ５８ａ，５８ｂを用いて互いに連結したことの意義は大きいといえる。
【０１１９】
本発明は上記実施形態に限らず、例えば次のように実施されてもよい。
【０１２０】
（１）上記実施形態では、第１クッション体２１〜２３を左右３つに分割したが、これを変更して、２つ又は４つ以上に分割してもよい。また、これと同様に、第２クッション体２４〜２６についても、左右３つに分割することに代え、２つ又は４つ以上に分割するようにしてもよい。例えば、第２クッション体を左右２つに分割する場合には、第２クッション体２６（中間クッション体）を設けずに、左右の第２クッション体２４，２５（コーナクッション体）を隣接配置すればよい。また、第２クッション体を左右４つに分割する場合には、中間クッション体を左右に２つ並べて設ければよい。
【０１２１】
ちなみに、第１クッション体と第２クッション体とは必ずしも左右方向にて互いに同じ位置で分割する必要はなく、互いに異なる位置で分割するようにしてもよい。また、第１クッション体と第２クッション体とで、左右方向の分割数は必ずしも同じである必要はなく、互いに異なっていてもよい。
【０１２２】
（２）コーナクッション体としての第２クッション体２４，２５を設けることに代えて、直方体状をなす２つの第２クッション体を平面視Ｌ字状をなすように配設してもよい。その場合、ソファ１０を構成するすべてのクッション体を直方体形状に統一することができる。
【０１２３】
（３）第１クッション体を左右方向に分割せず、同方向において１つだけ設けるようにしてもよい。また、これと同様に、第２クッション体を左右方向に分割せず、同方向において１つだけ設けるようにしてもよい。この場合、第２クッション体は平面視コ字状に形成されることになる。その場合においても、囲い式のプレイスペースに形態を変えることが可能である。但し、クッション体の取り扱い性や、形態変更のバリエーション等を考慮すると、クッション体は左右複数に分割した方が望ましい。
【０１２４】
（４）上記実施形態では、第１クッション体２１〜２３と第２クッション体２４〜２６とをそれぞれ２段積みする構成としたが、これを変更して、３段積み又は４段積みする構成としてもよい。また、第１クッション体２１〜２３と第２クッション体２４〜２６との積み数は必ずしも同じである必要はなく、互いに異ならせてもよい。
【０１２５】
（５）上記実施形態では、第２クッション体２４〜２６を柔軟性の異なる複数のウレタン層３２，３３からなる複層構造としたが、第２クッション体２４〜２６を柔軟性の高い第１ウレタン層３２のみからなる単層構造としてもよい。その場合にも、第２クッション体２４〜２６では、第１クッション体２１〜２３よりもクッション材の柔軟性が低くなるため、プレイスペース８０を形成した際、囲い部８２の上下のつぶれを抑制することができる。
【０１２６】
また、第１クッション体２１〜２３と第２クッション体２４〜２６とで、クッション材の柔軟性を同じにしてもよい。その場合、各クッション体２１〜２３、２４〜２６の間でクッション材（ウレタンフォーム材料）の共通化が図れるため、コスト低減等を図ることができる。
【０１２７】
（６）上記実施形態では、連結シート３５を、上下に隣接する各第２クッション体２４Ａ，２４Ｂのうち、上段の第２クッション体２４Ｂに離着不能に接合し、下段の第２クッション体２４Ａに離着可能に接合したが、これを逆にしてもよい。すなわち、連結シート３５を、下段の第２クッション体２４Ａに離着不能に接合し、上段の第２クッション体２４Ｂに離着可能に接合してもよい。また、連結シート３５を、各第２クッション体２４Ａ，２４Ｂのそれぞれに離着可能に接合するようにしてもよい。この場合、連結シート３５が、第２クッション体２４Ａ，２４Ｂとは別体で構成されることになる。これらの場合にも、各第２クッション体２４Ａ，２４の前面同士が連結シート３５により連結されるため、上段の第２クッション体２４Ｂが下段の第２クッション体２４Ａに対して後方に屈曲しにくくなり、その結果第２クッション体２４Ｂの後方への倒れを抑制することができる。
【０１２８】
また、上下に隣接する各第２クッション体２４Ａ，２４Ｂは必ずしも連結シート３５を用いて連結する必要はない。例えば、左右に隣接する第２クッション体２４，２６と同様、面ファスナのみにより連結するようにしてもよい。つまり、各第２クッション体２４Ａ，２４Ｂにおいて上下に対向する各面にそれぞれ面ファスナを設け、それら面ファスナの接合により各第２クッション体２４Ａ，２４Ｂを連結してもよい。ただ、第２クッション体２４Ｂの後方への倒れを抑制する上では、連結シート３５を用いて各第２クッション体２４Ａ，２４Ｂを連結するのが望ましい。
【０１２９】
なお、上記で述べた各内容は、第２クッション体２４Ａ，２４Ｂ同士を連結する連結シート３５に限らず、第２クッション体２５Ａ，２５Ｂ同士を連結する連結シート３７や、第２クッション体２６Ａ，２６Ｂ同士を連結する連結シート３９にも同様に適用することが可能である。
【０１３０】
（７）上記実施形態では、隣接するクッション体同士を面ファスナ（連結手段）を用いて連結したが、隣接するクッション体同士を他の連結手段を用いて連結してもよい。他の連結手段としては、スナップボタンやマグネット等を用いることが考えられる。スナップボタンを用いる場合には、隣接するクッション体の一方に凹側のボタンを設け、他方に凸側のボタンを設けることが考えられる。また、マグネットを用いる場合には、隣接するクッション体の一方に正極のマグネットを設け、他方に負極のマグネットを設けることが考えられる。これらの場合にも、隣接するクッション体同士を分離可能に連結することが可能となる。
【０１３１】
（８）付属シート６１，６２の面ファスナ６４ａ，６５ａはループ面を有する面ファスナとなっているため、相手側の（つまりフック面を有する）面ファスナのみならず、クッション体２１〜２６自体にも接合可能となっている。そこで、この点に着目して、付属シート６１，６２を隣接する各クッション体に跨がるように設けることで面ファスナ６４ａ，６５ａを各クッション体に接合し、それにより各クッション体を互いに連結するようにしてもよい。例えば、前後に隣接する第１クッション体２３Ｂ及び第２クッション体２６Ａの各側面に跨がるように付属シート６１，６２を設け、同付属シート６１，６２によりそれらクッション体２３Ｂ，２６Ａ同士を連結することが考えられる。この場合、第１クッション体２３Ｂと第２クッション体２６Ｂとの間に隙間が生じるのをより一層抑制することができる。
【０１３２】
（９）上記実施形態では、各クッション体２１〜２６を組み換えることで、プレイスペース８０やベビーベッド付きソファ９０，１００に形態を変えた場合について説明したが、これら以外の形態に変更してもよい。例えば、上記実施形態では、ベビーベッド付きソファを９０，１００において、ベビーベッド部９２，１０１を左右方向の右側や中央に形成したが、左側に形成するようにしてもよい。また、上記実施形態では、ベビーベッド部９２，１０１を、ソファ部９１，１０２，１０３よりも前側に延出するように形成したが、ソファ部よりも後方に延出するように形成してもよい。さらに、上記実施形態では、ベビーベッド部９２，１０１の床部９３，１０４を、各第１クッション体２２Ａ，２２Ｂ（２１Ａ，２１Ｂ）を前後に並べることで形成したが、左右に並べることで形成してもよい。
【０１３３】
（１０）上記実施形態では、複数人掛けのソファ１０に本発明を適用したが、１人掛けのソファに本発明を適用してもよい。その場合、ソファの幅が小さくなるため、例えば上記（３）で説明した平面視コ字状の第２クッション体を用いてコ字状部を形成することが考えられる。この場合、上下各段の第２クッション体により囲み部を形成し、その囲み部の内側に各第１クッション体を並べて床部を形成することで、ベビーベッドに形態変更することが考えられる。この場合、全体がベビーベッドとして形成される。
【符号の説明】
【０１３４】
１０…ソファ、１１…着座部、１２…コ字状部、１５…背もたれ部、１６…肘掛け部、２１…第１クッション体、２２…第１クッション体、２３…第１クッション体、２４…コーナクッション体としての第２クッション体、２５…コーナクッション体としての第２クッション体、２６…中間クッション体としての第２クッション体、３１…クッション材、３４…カバー材、３５〜３９…連結シート、８０…乳幼児用家具としてのプレイスペース、８１…第１床部としての床部、８２…第１囲い部としての囲い部、９２…乳幼児用家具としてのベビーベッド部、９３…第２床部としての床部、９４…第２囲い部としての囲い部、１０１…乳幼児用家具としてのベビーベッド部、１０４…第２床部としての床部、１０５…第２囲い部としての囲い部。
【図１】
0006576774.tif 000002
【図２】
0006576774.tif 000003
【図３】
0006576774.tif 000004
【図４】
0006576774.tif 000005
【図５】
0006576774.tif 000006
【図６】
0006576774.tif 000007
【図７】
0006576774.tif 000008
【図８】
0006576774.tif 000009
【図９】
0006576774.tif 000010
【図１０】
0006576774.tif 000011